(57)【要約】【課題】  スーパーマーケット、コンビニエンスストアなどの店舗内、公共の通路などで、キャッシュディスペンサーでのメンテナンスや現金回収作業、あるいは、これらの作業にかかわらず一般の顧客や通行人が往来する場所で作業する際、作業現場の目隠しでき、しかも簡単に持ち運びできる作業カーテン屏風を提供する。【解決手段】  周囲にバネ材からなる枠部３と、この枠部３の内側に布、化学繊維又は、樹脂シートからなるカーテン部材４からなる複数の屏風部材２からなり、この屏風部材２同士の隣り合う周囲の一部を縫い合わせた連接部５を設けてなり、また、屏風を開講状態で設置する固定部材を前記作業用カーテン屏風の下部に錘部材や吸盤部材を設けてなる。複数の屏風部材の少なくとも１つの屏風部材の上部端部に作業用カーテン屏風を収納する収納部材を縫いつけてなることを特徴とする。【選択図】図１
2010168881.tif 000002
【特許請求の範囲】
【請求項１】
周囲にバネ材からなる枠部と、この枠部の内側に布、化学繊維又は、樹脂シートからなるカーテン部材からなる複数の屏風部材からなり、この屏風部材同士の周囲の一部を縫い合わせた連接部を設けてなる作業用カーテン屏風。
【請求項２】
屏風を開講状態で設置する固定部材を設け、この固定部材を錘部材で構成し、前記作業用カーテン屏風の下部に取り付け可能に設けた構成とした請求項１記載の作業用カーテン屏風。
【請求項３】
屏風を開講状態で設置する固定部材を設け、この固定部材を吸盤部材で構成し、前記作業用カーテン屏風の下部に取り付けた構成とした請求項１記載の作業用カーテン屏風。
【請求項４】
複数の前記屏風部材の少なくとも１つの屏風部材の上部端部に作業用カーテン屏風を収納する収納部材を縫いつけてなる請求項１乃至請求項３のいずれか１つに記載の作業用カーテン屏風。
【発明の詳細な説明】
【技術分野】
【０００１】  本発明は、スーパーマーケット、コンビニエンスストアなどの店舗内、あるいは、これらの作業にかかわらず一般の顧客や通行人が往来する場所や公共の通路などで、キャッシュディスペンサーのメンテナンスや現金回収作業における目隠し用の作業用カーテン屏風に関する。
【背景技術】
【０００２】  例えば、金融機関におけるキャッシュディスペンサー等におけるメンテナンスや現金回収は、壁面に備え付けられているキャッシュディスペンサーの裏側、つまり壁の裏側でおこなわれるように設置、設計されており、メンテナンスや現金回収作業は、一般客の目につかないところで行われているのが一般的である。【０００３】  しかしながら、スーパーマーケット、コンビニエンスストアなどの狭い店舗内に設置されるキャッシュディスペンサーは、設計上メンテナンスや現金回収の作業が前面開閉されて行われる構成であり、店舗内で行われるメンテナンスや現金回収は、どうしても一般客の目に付くところで処理されている。【０００４】
【特許文献１】実公平７−４５６３８号公報
【特許文献２】特開２００６−１４３０７６号公報
【発明の表示】
【発明が解決しようとした課題】
【０００５】  スーパーマーケット、コンビニエンスストアなどの場合は、キャッシュディスペンサーが設置されている天井などに、そのキャッシュディスペンサーが覆えるようにカーテンレールを設置しておき、メンテナンスや現金回収作業の都度、カーテンで覆うことが提案された。しかし、店舗内のデザイン上好ましくない上、全店舗を工事することは、多額の設備費用がかかり現実的できない。
【０００６】  そこで、持ち運び式の目隠しカーテンが試みられ、特許文献１で開示されているマンホール屏風が提案された。この特許文献１に開示されるマンホール屏風は鉄製枠が使用された三ツ折形で構成され、必要により複数連結され、通行人がマンホールに落ちないように強固に作られていたものが開示されている。
【０００７】  この技術は、眼隠しするというより通行人の侵入を阻止することを目的としているので、強固で重量があり、持ち運びには適していない。しかも店舗内は、狭い場所であり顧客や通行人が、その屏風にぶつかったりする可能性があり、顧客や通行人が怪我をしたりする問題が想定され使用できないことが分かった。
【０００８】  また、特に、スーパーマーケット、コンビニエンスストアなどの店舗内、公共の通路などで、キャッシュディスペンサーでのメンテナンスや現金回収作業は、短時間で素早く行うため作業員がその作業用カーテンを持ち運ぶにはあまりにも重量があり持ち運びには不便であった。
【０００９】  そこで、特許文献２で示されている自動車やベビーカー等で使用する日除け具が注目された。この日除け具の遮光部は、可撓環と、この可撓環の内側に張設され、可撓環の捻じれによって折り畳まれる遮光幕とからなるものが開示されている。
【００１０】  しかしながら、この日除け具は、自動車やベビーカー等に利用する際は、遮光部を支持する支持部に取り付けられているので、固定しやすいが、店舗や通路など、なにもない所に眼隠しを設置、固定することはできなかった。また、収納及び収納状態から設置状態、さらに収納を繰り返すときの操作性も考えられていなかった。
【００１１】  以上述べたように、スーパーマーケット、コンビニエンスストアなどの店舗内、公共の通路などで、キャッシュディスペンサーでのメンテナンスや現金回収作業、あるいは、これらの作業にかかわらず一般の顧客や通行人が往来する場所で作業する際、作業場所を完全に隔離するのではなく、作業現場の目隠しになることが大切であり、しかも、簡単に持ち運びできる作業用カーテン屏風を実現することを目的とする。
【課題を解決するための手段】
【００１２】  上記目的を達成するために請求項１に係る発明は、周囲にバネ材からなる枠部と、この枠部の内側に布、化学繊維又は、樹脂シートからなるカーテン部材からなる複数の屏風部材からなり、この屏風部材同士の周囲の一部を縫い合わせて連接してなることを特徴としている。
【００１３】  また、請求項２に係る発明は、前記作業用カーテン屏風を平面が台形状に開いた状態で設置する固定部材を錘部材で構成し、前記作業用カーテン屏風の下部に取り付け可能に設けた構成とした。
【００１４】  また、請求項３に係る発明は、前記作業用カーテン屏風を平面が台形状に開いた状態で設置する固定部材を吸盤部材で構成し、前記作業用カーテン屏風の下部に取り付けた構成としている。
【００１５】  さらに、請求項４に係る発明は、複数の屏風部材の少なくとも１つの屏風部材の上部端部に作業用カーテン屏風を収納する収納部材を縫いつけてなることを特徴とするものである。
【図面の簡単な説明】
【００１６】
【図１】作業用カーテン屏風１の平面に広げた状態を示す説明図。
【図２】作業用カーテン屏風１の作業をする側から見た状態を示す説明図。
【図３】作業用カーテン屏風１の他の実施例を示す説明図。
【図４】図１におけるＸ−Ｘ線断面説明図。
【図５】作業用カーテン屏風１の折りたたみ状態の説明図。
【図６】作業用カーテン屏風１の折りたたみ収納状態の説明図。
【図７】作業用カーテン屏風１の折りたたみ収納状態の説明図。
【発明を実施するための形態】
【００１７】  図１は、作業用カーテン屏風１を平面に広げた状態で、作業をしている側の外側から見える状態を示すもので、周囲にバネ材からなる枠部３と、この枠部３の内側に布、化学繊維又は、樹脂シートからなるカーテン部材４からなる複数の屏風部材２から構成されている。
【００１８】  枠部３は、板状のバネ材で構成され、捻じれた状態でも復元性のあるものを選択すれば良い。また、カーテン部材４は、パラシュート生地（ナイロンなど）やメッシュ状でもよい。
【００１９】  各屏風部材２は、枠部材３によって、広げられるが、カーテン部材を矩形（但し、四隅はアールが付加される）形の生地の周囲を折り返し、枠部材３を内包できるように点線で示される形状に縫い付けることで四隅を除く４辺をほぼ直線上に保たせることができる。そして、図１のように、各屏風部材２同士が隣接する長辺部を縫いつけた連接部５から構成され作業カーテン屏風１が形成される。
【００２０】  ６は、この作業用カーテン屏風１を収納するときの収納部材であるが、作業中は、作業する会社あるいは、キャッシュディスペンサーの設備を所有する会社などを示したり、作業中を知らせる表示部となる。収納部材６の構成は、後述する。
【００２１】  また、図２は、作業用カーテン屏風１の作業をする側からみた状態を示すもので、中央の屏風部材２の両側の各屏風部材２を連接部５で手前側にハの字状に折り曲げ、キャッシュディスペンサーを囲うようにする。その際、作業用カーテン屏風１を開口状態で床に設置する固定部材１０を錘部材が前記作業用カーテン屏風１の下部に取り付け固定できるようになっている。この錘部は、棒状のアルミでできており、各屏風部材２の下辺部を挟み込んで保持できるように、長手方向に各屏風部材２の差し込み溝が掘られている。
【００２２】  スーパーマーケット、コンビニエンスストアなどの店舗内や一般の顧客や通行人が往来する場所や公共の通路などの床は、通常タイルで構成されており、特にプラスティックなどのＰタイルで構成されている場合には、図３は、に示されるように固定部材の他の実施例として、床面に固定できる吸盤部２１と屏風部材２の下辺部を挟み込んで保持できるように、コ字状の挟持溝が設けられた挟持部２２からなる固定部材２０としてもよい。
【００２３】  ２３は、吸盤部２１を床から剥がすとき、摘んで引き剥がせる突起部を示すものである。この吸盤部２０は、作業用カーテン屏風１の収納時も取り付けた状態のものであっても差支えない。
【００２４】  さらに、図１に示されているように複数の屏風部材２の少なくとも１つの屏風部材２上部端部に作業用カーテン屏風１を収納する収納部材６が縫いつけてなり、袋部６の構成は、作業中は、作業する会社名あるいは、キャッシュディスペンサーの設備を所有する会社名などの表示部や、作業中である旨を示す表示部であることは前述したとおりであるが、図１のＸ−Ｘ線断面説明図として図４に示す通り、屏風部材２の上部に縫い付けられている。
【００２５】  この収納部材６をさらに詳しく説明すると、図１、図２に記載されているように中央の屏風部材２の上部を覆って、縫い目７ｂで、収納部材６の幅方向の中央が、縫い付けられている。これは、後述する収納状態では、屏風部材が小さく丸められるので、収納時に袋部材６に皺がよらないように考慮されている。また、この袋部材６は、図１及図２及び図４で説明すると、６ａ、６ｂ、６ｃ、６ｄ、６ｅで構成されており、作業をする側の６ｅと反対側の６ａ、６ｂ、６ｃ、６ｄからなり、作業をする側と反対側は、収納部材６の上部側６ａと、収納部材６の下部が折り返えした６ｃ，６ｄのうち、６ａと幅方向の両側部が綴じられて袋となる袋部６ｂ、６ｃが構成される。さらに６ａと６ｄの幅方向両側部が綴じられてない袋舌部分となる６ｅとからなる。
【００２６】  さらに、屏風部材２を収納したときに収納部材６の収納封し状態を保つために６ｄと６ｅには、フックとループからなるマジックテープ（株式会社クラレの登録商標）などの封緘部６１、６２が設けられている。
【００２７】  本発明の以上のように構成されているが、例えば、この封緘部６１、６２は、マジックテープ以外に衣服などで使用されるボタンであってもよく、開口部を封し状態で保たれるものであればよい。また、床に設置、固定するために錘や吸盤型の固定部材以外に、粘着剤などの一時的に接着できるものであってもよい。
【００２８】  本発明の作業用カーテン屏風は、収納時は、図５に示されるように各屏風部材２を折りたたみ重ね合わせそして、三枚の各屏風部材２を重ねたまま１回転捻ると、図６のように３つの団子状なるので、さらに、それを折りたたむことができ、図６のようにコンパクトになる。ここでは、捻る動作で３つの団子状に状態、そしてそれをさらに折りたたむ状態を段階的に説明したが、便宜的に説明しているものであり、実際には、この一連の「捻る」、「折りたたみ動作」は、同時的に行え、瞬時にコンパクトに折りたためた状態になる。この状態で、図６、図７に示すように前述の袋部材６で包み、あらかじめ周囲に設けられたマジックテープで重ね合わせ、作業用カーテン屏風１を収納封緘することができる。
【００２９】  このように構成された作業用カーテン屏風１であれば、設置の際は、収納部材６の封緘部６１、６２を外し、手を離すだけで、一瞬で作業用カーテン屏風１が開き、下部を錘型固定部材１０または、吸盤型固定部材２０などで床に固定するだけで、簡単に設置でき、収納も簡単にでき、しかも軽いので持ち運びも容易であり、きわめて便利な作業用カーテン屏風が提供できる。
【００３０】  なお、この作業用カーテン屏風を収納する際、作業側から見て両側の屏風部材２を内側に折癖をつけるためには、３片の各屏風部材における収納のための折りたたみ状態をＺ字状ではなく、中央の屏風部材の両側の屏風部材を互いに内側に折りたたむ「包み折に（くるみおり）」することが望ましい。そのためには、中央の屏風部材に対して少なくとも両側に一方の屏風部材の幅サイズは小さめにするとよい。本実施例では、中央の屏風部材にたいして両側の屏風部材の幅サイズを小さめのサイズにしている。
【００３１】  また、収納部材６は、あらかじめ袋状態のものを使用したが、収納部材は、周囲をマジックテープやボタンなどの封緘部を設けておき、あとから袋部を構成するものであってもよい。収納部材６が屏風部材２に取りつけられた構成としておくことにより、作業中は、表示部として機能し、さらに収納の際、袋を探す手間も省け使い勝手が向上する。
【００３２】  以上のように、本発明の作業用カーテン屏風は、持ち運びにおいても、操作性においても、きわめて使い勝手のよいものが提案できる。しかも、店舗や公共の狭い通路などで一般客や通行人が万が一、ぶつかっても、作業用カーテン屏風自体が簡単に変形したりするので、怪我をしたりすることがなく産業上きわめて有益なものとなる。
【符号の説明】
【００３３】  １・・・作業用カーテン屏風
２・・・屏風部材
３・・・枠部材
４・・・カーテン部材
５・・・連接部
６（６ａ、６ｂ，６ｃ、６ｄ、６ｅ）・・・収納部材
７ａ、７ｂ・・・縫い目
８・・・バネ材
１０・・・錘型固定部材
１１・・・溝
１２・・・枠受部
２０・・・吸盤型固定部材
２１・・・吸盤部
２２・・・枠受部
２３・・・吸盤剥がし突起
６１、６２・・・封止手段
【図１】
2010168881.tif 000003
【図２】
2010168881.tif 000004
【図３】
2010168881.tif 000005
【図４】
2010168881.tif 000006
【図５】
2010168881.tif 000007
【図６】
2010168881.tif 000008
【図７】
2010168881.tif 000009